(57)【特許請求の範囲】
【請求項１】
第１の構造物と、
前記第１の構造物に下方から固定される第２の構造物と、
前記第１の構造物に対して下方から前記第２の構造物を仮止めして固定する取付け機構と、を具備し、
前記取付け機構は、
前記第１の構造物に設けられ、下方に延びるガイドシャフトと、
前記ガイドシャフトの先端に形成され、前記ガイドシャフトに前記第２の構造物を固定させる被固定部と、
前記第２の構造物に設けられ、前記ガイドシャフトに係合し、前記第２の構造物の仮止めを行う仮止め部と、
前記第２の構造物に設けられ、前記ガイドシャフトの前記被固定部に前記第２の構造物を固定する固定部と、
を備えることを特徴とする媒体処理装置。
【請求項２】
前記第１の構造物は、前記媒体処理装置のフレームであり、
前記第２の構造物は、前記媒体処理装置の磁気読取装置である、
ことを特徴とする請求項１記載の媒体処理装置。
【請求項３】
前記第２の構造物に設けられ、前記ガイドシャフトが挿入されるシャフト受け部を更に備え、
前記仮止め部は、前記シャフト受け部に挿入された前記ガイドシャフトに係合する、
ことを特徴とする請求項１又は請求項２記載の媒体処理装置。
【請求項４】
前記ガイドシャフトの外周面には、凹部が形成され、
前記仮止め部は、前記凹部に係合する係合片を有する、
ことを特徴とする請求項１から請求項３のいずれか１項記載の媒体処理装置。
【請求項５】
前記係合片は、付勢部材と一体に設けられ、該付勢部材から前記ガイドシャフトに向けて突出することを特徴とする請求項４記載の媒体処理装置。
【請求項６】
前記仮止め部は、該仮止め部の前記ガイドシャフトに係合した状態を解除する方向に押圧される押圧部分を有することを特徴とする請求項１から請求項５のいずれか１項記載の媒体処理装置。
【請求項７】
前記ガイドシャフトの前記外周面には、複数の前記凹部が形成され、
前記仮止め部の前記係合片は、前記複数の凹部に段階的に係合する、
ことを特徴とする請求項４又は請求項５記載の媒体処理装置。
【請求項８】
前記シャフト受け部には、前記ガイドシャフトをガイドするガイド孔が形成され、
前記仮止め部は、前記第２の構造物が前記第１の構造物に対して、前記ガイドシャフトと前記シャフト受け部の前記ガイド孔との差分の範囲を２ｍｍ以下移動自在に前記ガイドシャフトに係合することを特徴とする請求項３記載の媒体処理装置。
【請求項９】
前記仮止め部は、前記第２の構造物が前記ガイドシャフトに対して上下方向に１〜２ｍｍ移動可能なクリアランスを有する状態で前記ガイドシャフトに係合することを特徴とする請求項１から請求項８のいずれか１項記載の媒体処理装置。
【請求項１０】
前記係合片は、前記ガイドシャフトに向けて付勢されていることを特徴とする請求項４記載の媒体処理装置。
【発明の詳細な説明】
【技術分野】
【０００１】
本発明は、第１の構造物に対して下方から第２の構造物を固定するのに用いられる仮止め機構を有する取付け機構、並びに、第１の構造物と第２の構造物とを備える電子機器及び媒体処理装置に関する。
【背景技術】
【０００２】
従来、物体間の仮止めや固定には種々の方法がとられている（例えば、特許文献１〜４参照）。
例えば、特許文献１には、車両用脱落式ミラーの取付装置において、ミラーステーを車体内板に取り付ける際に、まず、板バネを挿入して仮保持したブラケットを車体内板に取り付け、その後、板バネとミラーステーとをネジ止めする手法が記載されている。
【先行技術文献】
【特許文献】
【０００３】
【特許文献１】実公平２−１５７１２号公報
【特許文献２】実開平６−３５７６５号公報
【特許文献３】特開２０１０−１１９２７６号公報
【特許文献４】実用新案登録第号３１０６７８１公報
【発明の概要】
【発明が解決しようとする課題】
【０００４】
ここで、ＡＴＭ（Automatic Teller Machine：自動預金支払機）に用いられる通帳印字装置において、精密機器である磁気読取装置が下方から通帳印字装置のフレーム部分に固定される場合を例に考える。
【０００５】
通帳印字装置をＡＴＭの後方又は前方に引き出すことが可能であったとしても、通帳印字装置に対して下方から磁気読取装置を固定する作業は、磁気読取装置が落下しないように気を配る必要があるほか、磁気読取装置の配置スペースが限られているため他の部品に接触して破損が生じないように気を配る必要もあり、非常に難しい作業である。
【０００６】
このことは、通帳印字装置以外の電子機器などにおいて、構造物を他の構造物に対して下方から固定する場合にも同様のことがいえる。
本発明の目的は、簡素な構成かつ簡単な作業で、第１の構造物に対して第２の構造物を下方から固定することができる取付け機構、電子機器、及び媒体処理装置を提供することである。
【課題を解決するための手段】
【０００７】
本明細書で開示する取付け機構は、第１の構造物に対して下方から第２の構造物を仮止めして固定する取付け機構であって、前記第１の構造物に設けられ、下方に延びるガイドシャフトと、前記ガイドシャフトの先端に形成され、前記ガイドシャフトに前記第２の構造物を固定させる被固定部と、前記第２の構造物に設けられ、前記ガイドシャフトに係合し、前記第２の構造物の仮止めを行う仮止め部と、前記第２の構造物に設けられ、前記ガイドシャフトの前記被固定部に前記第２の構造物を固定する固定部と、を備える。
【０００８】
本明細書で開示する電子機器は、第１の構造物と、前記第１の構造物に下方から固定される第２の構造物と、前記第１の構造物に対して下方から前記第２の構造物を仮止めして固定する取付け機構と、を具備し、前記取付け機構は、前記第１の構造物に設けられ、下方に延びるガイドシャフトと、前記ガイドシャフトの先端に形成され、前記ガイドシャフトに前記第２の構造物を固定させる被固定部と、前記第２の構造物に設けられ、前記ガイドシャフトに係合し、前記第２の構造物の仮止めを行う仮止め部と、前記第２の構造物に設けられ、前記ガイドシャフトの前記被固定部に前記第２の構造物を固定する固定部と、を備える。
【０００９】
本明細書で開示する媒体処理装置は、第１の構造物と、前記第１の構造物に下方から固定される第２の構造物と、前記第１の構造物に対して下方から前記第２の構造物を仮止めして固定する取付け機構と、を具備し、前記取付け機構は、前記第１の構造物に設けられ、下方に延びるガイドシャフトと、前記ガイドシャフトの先端に形成され、前記ガイドシャフトに前記第２の構造物を固定させる被固定部と、前記第２の構造物に設けられ、前記ガイドシャフトに係合し、前記第２の構造物の仮止めを行う仮止め部と、前記第２の構造物に設けられ、前記ガイドシャフトの前記被固定部に前記第２の構造物を固定する固定部と、を備える。
【発明の効果】
【００１０】
本明細書で開示する取付け機構、電子機器、及び媒体処理装置によれば、簡素な構成かつ簡単な作業で、第１の構造物に対して第２の構造物を下方から固定することができる。
【図面の簡単な説明】
【００１１】
【図１】媒体処理装置の内部構造を示す側面図である。
【図２】媒体処理装置の内部構造を示す平面図である。
【図３】連結状態の仮止め部及びシャフト受け部を示す正投影図である。
【図４】仮止め部を示す正投影図である。
【図５】シャフト受け部を示す正投影図である。
【図６Ａ】図５のVI−VI断面図である。
【図６Ｂ】ガイドシャフト実装時における図５のVI−VI断面図である。
【図７Ａ】磁気読取装置の取付けの流れを説明するための斜視図（その１）である。
【図７Ｂ】磁気読取装置の取付けの流れを説明するための斜視図（その２）である。
【図７Ｃ】磁気読取装置の取付けの流れを説明するための斜視図（その３）である。
【図７Ｄ】磁気読取装置の取付けの流れを説明するための斜視図（その４）である。
【図７Ｅ】磁気読取装置の取付けの流れを説明するための斜視図（その５）である。
【図８Ａ】磁気読取装置の取付けの流れを説明するための概略正面図（その１）である。
【図８Ｂ】磁気読取装置の取付けの流れを説明するための概略正面図（その２）である。
【図８Ｃ】磁気読取装置の取付けの流れを説明するための概略正面図（その３）である。
【図８Ｄ】磁気読取装置の取付けの流れを説明するための概略正面図（その４）である。
【図８Ｅ】磁気読取装置の取付けの流れを説明するための概略正面図（その５）である。
【図８Ｆ】磁気読取装置の取付けの流れを説明するための概略正面図（その６）である。
【図８Ｇ】磁気読取装置の取付けの流れを説明するための概略正面図（その７）である。
【図９】変形例における連結状態の仮止め部及びシャフト受け部を示す正投影図である。
【図１０Ａ】変形例における仮止めの流れを説明するための右側面図及び背面図（その１）である。
【図１０Ｂ】変形例における仮止めの流れを説明するための右側面図及び背面図（その２）である。
【図１１】他の変形例におけるガイドシャフトを示す左側面図及び正面図である。
【発明を実施するための形態】
【００１２】
以下、実施の形態について、図面を参照しながら説明する。
図１及び図２は、一実施の形態に係る媒体処理装置１の内部構造を示す側面図及び平面図である。
【００１３】
媒体処理装置１は、例えば、ＡＴＭの内部に設けられる通帳印字装置であり、搬送路２と、ローラ３と、ローラ駆動モータ４と、媒体挿入口５と、印字ヘッド６と、プラテン７と、媒体位置検出部８と、フレーム１０と、磁気読取装置２０と、を備える。
【００１４】
フレーム１０は、２本のガイドシャフト１１，１２と、２本の固定用シャフト１３，１４と、を有する。
磁気読取装置２０は、例えば板バネである仮止め部２１，２３と、シャフト受け部２２，２４と、シャフト固定板２５，２６と、横移動磁気ヘッド２７と、縦移動磁気ヘッド２８と、を有する。仮止め部２１，２３と、シャフト受け部２２，２４と、シャフト固定板２５，２６とは、それぞれ２箇所に配置されている。
【００１５】
媒体処理装置１は、顧客から挿入された例えば通帳である媒体１００を搬送路２により搬送する。また、媒体処理装置１は、媒体１００に貼付された磁気ストライプに対して横移動磁気ヘッド２７及び縦移動磁気ヘッド２８によりリードライト（読出／書込み）を行い、印字ヘッド６及びプラテン７により媒体１００に対して印字を行う。
【００１６】
搬送路２は、内部に挿入された媒体１００を、媒体挿入口５からの挿入方向、及び、媒体挿入口５への排出方向に搬送する（図１参照）。図２に示すように、搬送路２の左右の端部には、媒体１００の幅方向の位置を規制するガイド部２ａ，２ｂが設けられている。
【００１７】
ローラ３は、図１に示す２つのローラ駆動モータ４のいずれか一方により回転駆動され、媒体１００を搬送する。また、ローラ３は、上下で１対をなし、この１対で媒体１００を挟み込む。
【００１８】
ローラ３は、媒体１００の幅方向に一定間隔で離れて２つ設けられ、この２つは同軸に設けられる。ローラ２０は、搬送方向に適当な間隔で複数配置される（図１及び図２では、８組）。
【００１９】
媒体挿入口５は、媒体処理装置１によって記帳等の処理が終了した媒体１００が排出される排出口でもある。媒体挿入口５は、例えばＡＴＭの前面に設けられる。
印字ヘッド６は、プラテン７とともに媒体１００の幅方向に移動可能に配置されている。印字時には、ローラ３によって媒体１００が縦方向（挿入・排出方向）に移動し、印刷する行の位置が設定される。また、印字ヘッド６が幅方向に移動して、媒体１００の用紙に入金／出金等を印刷する。なお、搬送路２の奥側には、媒体１００の頁を捲るためのページ捲り機溝が設けられ（図示は省略）、印刷ページを代える場合には、ページ捲り機溝の有る位置に媒体１００が搬送され、ページ捲りが行われる。
【００２０】
媒体位置検出部８は、搬送される媒体１００の位置を検出する光学センサである。媒体位置検出部８は、搬送路２の搬送経路に沿って適当な間隔で配置される。媒体位置検出部８からの検出信号に基づき、ローラ３を駆動するローラ駆動モータ４が制御されて、各処理に応じた位置に媒体１００が搬送される。
【００２１】
横移動磁気ヘッド２７及び縦移動磁気ヘッド２８は、媒体１００の一例である通帳の表裏の表紙に貼付された磁気ストライプの信号を読み出しあるいは書込みするものである。横移動磁気ヘッド２７は、媒体１００の横方向の磁気ストライプをリードライトする。また、縦移動磁気ヘッド２８は、媒体１００の縦方向（挿入・排出方向）の磁気ストライプをリードライトする。
【００２２】
横移動磁気ヘッド２７及び縦移動磁気ヘッド２８は、磁気読取装置２０の不図示の制御部によって制御される。磁気読取装置２０の不図示の制御部は、横移動磁気ヘッド２７及び縦移動磁気ヘッド２８の移動の制御や磁気ストライプへの信号のリードライトの制御を行う。
【００２３】
横移動磁気ヘッド２７及び縦移動磁気ヘッド２８は、リードライトする時以外は、図１に示すように媒体１００より下がった位置に退避して、リードライトする場合のみ、媒体１００側に上昇し磁気ストライプ面に接触する。これは、媒体１００の搬送によりヘッドが損傷されないようにするためである。
【００２４】
リードライト時には、横移動磁気ヘッド２７及び縦移動磁気ヘッド２８は、磁気ストライプ面に接触しながら、磁気ストライプ面の長手方向に沿って一定速度で移動するよう駆動される。横移動磁気ヘッド２７及び縦移動磁気ヘッド２８により読み取られた信号は、増幅後にＡ／Ｄ変換され、さらにデータに復調される。
【００２５】
２本のガイドシャフト１１，１２及び２本の固定用シャフト１３，１４は、フレーム１０に設けられて下方に延び、図８Ａに示すように、磁気読取装置２０（第２の構造物）が固定される被固定部の一例である雌ネジ部１１ｂ，１２ｂ，１３ａ（固定用シャフト１４は図示せず）が先端に形成されている。なお、被固定部としては、ネジ以外の固定手段によるものでもよい。
【００２６】
２本のガイドシャフト１１，１２は、フレーム１０の底面の対角線方向に互いに対向し、２本の固定用シャフト１３，１４（固定用シャフト１４は不図示）は、ガイドシャフト１１，１２の対角線方向とは直交する対角線方向に互いに対向する。
【００２７】
なお、図７Ａ及び図８Ｅに示すように、固定用シャフト１３，１４（他方の固定用シャフト１４は図示せず）は、磁気読取装置２０のシャフト固定板２５，２６に対して、ネジ１５により固定される。それに対し、ガイドシャフト１１，１２は、後述するように仮止めの後に固定される。
【００２８】
図８Ａに示すように、ガイドシャフト１１，１２には、外周面に凹部１１ａ，１２ａが形成されている。また、ガイドシャフト１１，１２の先端１１ｃ，１２ｃは、テーパ形状になっているため、図３に示す仮止め部２１（仮止め部２３は図示しないが同様）及びシャフト受け部２２（シャフト受け部２４は図示しないが同様）に対して挿入されやすくなっている。
【００２９】
図７Ａに示すように、フレーム１０には、横移動磁気ヘッド２７の移動スペースを確保するための開口部１０ａと、縦移動磁気ヘッド２８の移動スペースを確保するための開口部１０ｂとが形成されている。
【００３０】
また、詳しくは後述するが、フレーム１０には、２つの位置決め用突き当て面１０ｃ，１０ｄが形成されている。これら位置決め用突き当て面１０ｃ，１０ｄには、磁気読取装置２０から上方に突出する突き当てピン２０ａ，２０ｂ（図８Ｅ参照）が突き当てられる。
【００３１】
図３は、連結状態の仮止め部２１及びシャフト受け部２２を示す正投影図であり、（ａ）正面図、（ｂ）左側面図、（ｃ）右側面図、（ｄ）平面図、及び（ｅ）底面図が含まれている。
【００３２】
図４は、仮止め部２１を示す正投影図であり、（ａ）正面図、（ｂ）左側面図、及び（ｃ）平面図が含まれている。なお、仮止め部２３は仮止め部２１と同様の構造であるため、仮止め部２３の説明は省略する。
【００３３】
図５は、シャフト受け部２２を示す正投影図であり、（ａ）正面図、（ｂ）左側面図、（ｃ）右側面図、（ｄ）平面図、及び（ｅ）底面図が含まれている。なお、シャフト受け部２４はシャフト受け部２２と同様の構造であるため、シャフト受け部２４の説明は省略する。
【００３４】
図４に示す仮止め部２１は、板バネであり、ガイドシャフト１１の凹部１１ａに係合する係合片２１ａが斜め下方にガイドシャフト１１に向けて突出するように設けられている。
【００３５】
仮止め部２１は、上面部分２１ｂと、この上面部分２１ｂから直角に下方に折り曲げられた右側面部分２１ｃとを含む。なお、仮止め部２１における右側面部分２１ｃは、図４の右側面側に位置するが、もう１つの仮止め２３では左側面側に位置するため左側面部分となる。このように、特に、前後左右方向の位置は、以下においても図面の向きに応じて記載しているにすぎない。
【００３６】
図４（ｃ）に示すように、上面部分２１ｂには、上方からガイドシャフト２１が挿入されるガイド孔２１ｂ−１が形成されている。また、上面部分２１ｂには、シャフト受け部２３と連結するためのネジ２９が挿入される連結用孔２１ｂ−２，２１ｂ−３が形成されている。なお、連結用孔２１ｂ−２，２１ｂ−３のうち連結用孔２１ｂ−２は丸穴であり、連結用孔２１ｂ−３は連結位置合わせのため長穴になっている。
【００３７】
図４（ｂ）に示すように、右側面部分２１ｃは、係合片２１ａの基端部以外の周囲２１ｃ−１が開口している。また、右側面部分２１ｃの下端２１ｃ−２は、シャフト受け部２２の底面部分２２ｃの開口部２２ｃ−２に挿入可能な幅とするべく、部分的に幅が狭くなっている。このように挿入された下端２１ｃ−２は、仮止め部２１がガイドシャフト１１に係合した状態を解除する方向に押圧される押圧部分である。
【００３８】
図５に示すシャフト受け部２２は、上面部分２２ａと、この上面部分２２ａから直角に下方に折り曲げられた左側面部分２２ｂと、この左側面部分２２ｂから上面部分２２ａと略水平に対向するように折り曲げられた底面部分２２ｃと、左側面部分２２ｂの幅狭部分２２ｂ−１の正面側端部及び背面側端部から直角に右側面側に折り曲げられた１対のシャフト傾き規制部２２ｄと、を含む。尚、上面部分２２ａと底面部分２２ｃは、同一の向きに折り曲げられている。
【００３９】
図５（ｄ）に示すように、上面部分２２ａには、上方からガイドシャフト２１が挿入されガイドシャフト２１をガイドするガイド孔２２ａ−１が形成されている。また、上面部分２２ａには、仮止め部２１と連結するためのネジ２９が挿入される連結用孔２２ａ−２，２２ａ−３が形成されている。
【００４０】
図５（ｅ）に示すように、底面部分２２ｃには、ガイドシャフト固定用孔２２ｃ−１が形成されている。このガイドシャフト固定用孔２２ｃ−１は、図８Ａに示すガイドシャフト１１の雌ねじ部１１ｂにねじ込まれる図８Ｃに示すネジ１５が下方から挿入される。このネジ１５や、このネジ１５によってガイドシャフト１１，１２の雌ネジ部１１ｂ、１２ａに固定される底面部分２２ｃなどが、ガイドシャフト１１，１２に磁気読取装置２０を固定する固定部の一例である。
【００４１】
シャフト傾き規制部２２ｄは、図５（ｄ）の平面図、並びに図６Ａ及び図６Ｂの断面図において、左側面部分２２ｂの幅狭部分２２ｂ−１とともにコの字状（Ｕ字状）をなす。シャフト傾き規制部２２ｄは、ガイドシャフト１１が挿入される際に傾いたまま挿入されるのを規制する。
【００４２】
以下、媒体処理装置１のフレーム１０に対する磁気読取装置２０の取付けについて説明する。
図７Ａ〜図７Ｅ及び図８Ａ〜図８Ｇは、磁気読取装置２０の取付けの流れを説明するための斜視図及び概略正面図である。
【００４３】
まず、磁気読取装置２０の取付けを行う作業者は、図７Ａ及び図８Ａに示すように、磁気読取装置２０をフレーム１０の取り付け位置の下方まで移動させる。
そして、作業者は、図７Ｂ、図７Ｃ、及び図８Ｂに示すように、ガイドシャフト１１，１２が仮止め部２１，２３及びシャフト受け部２２，２４に上方から挿入されるように、磁気読取装置２０を持ち上げる。そして、ガイドシャフト１１，１２は、先端１１ｃ，１２ｃから仮止め部２１，２３の係合片２１ａ，２３ａを押しのけるように挿入される。
【００４４】
図７Ｄ及び図８Ｃに示すように仮止め部２１，２３の係合片２１ａ，２３ａがガイドシャフト１１，１２の凹部１１ａ，１２ａに到達すると、ガイドシャフト１１に押しのけられていた係合片２１ａ，２３ａが凹部１１ａ，１２ａに嵌まり込むことで係合する。
【００４５】
このとき、例えば、係合片２１ａ，２３ａは、磁気読取装置２０がフレーム１０に対して水平方向にガイドシャフト１１，１２の直径Φ８に対してシャフト受け部２２，２４のガイド孔２２ａ−１，２４ａ−１の直径Φ９の差分Φ１（１ｍｍ）の範囲を移動自在に凹部１１ａ，１２ａに係合することで、この係合状態（仮止め状態）で、図７Ｄに示す２つの位置決め用突き当て面１０ｃ，１０ｄ及び図８Ｅに示す突き当てピン２０ａ，２０ｂを用いて精密な位置決めを行うことができる。なお、上記の差分としては、２ｍｍ以下であることが望ましい。
【００４６】
また、係合片２１ａ，２３ａは、シャフト受け部２２，２４がガイドシャフト１１，１２に対して上下方向に１〜２ｍｍ程度移動可能なクリアランスを有するように凹部１１ａ，１２ａに係合することで、この係合状態（仮止め状態）で、図８Ｄに示すように、ネジ１５によりシャフト受け部２２，２４とガイドシャフト１１，１２とを仮固定することができる。この仮固定状態において、上述の水平方向の位置決めを行うことが望ましい。
【００４７】
次に、作業者は、図８Ｅ（及び図７Ｅ）に示すように、ネジ１５により本締めしてシャフト受け部２２，２４とガイドシャフト１１，１２とを固定する。これにより、磁気読取り装置２０がフレーム１０に対して固定される。
【００４８】
また、磁気読取装置２０をフレームから１０を取り外す場合には、まず、ネジ１５を取り外して固定を解除する。このときにも、係合片２１ａ，２３ａは、凹部１１ａ，１２ａに係合し、仮止め状態が維持されている。
【００４９】
そのため、作業者は、図４（ｂ）に示す仮止め部２１の右側面部分２１ｃの下端２１ｃ−２において、仮止め部２１を押圧し、図８Ｆ及び図８Ｇに示すように、係合片２１ａ，２３ａがガイドシャフト１１，１２に係合した状態を解除する。
【００５０】
次に、変形例における仮止め部３１及びシャフト受け部３２について説明する。
図９は、変形例における連結状態の仮止め部３１及びシャフト受け部３２を示す正投影図であり、（ａ）正面図、（ｂ）左側面図、（ｃ）右側面図、（ｄ）背面図、（ｅ）平面図、及び（ｆ）底面図が含まれている。
【００５１】
図９に示す仮止め部３１は、板バネではなく弾性を有さない板金であってもよい。
仮止部３１は、前後方向に延びる係合片３１ａと、この係合片３１ａの前端に設けられ、左右方向に移動可能にピン３４により支持された可動部３１ｂと、係合片３１ａの後端に設けられ、下方に延びるレバー部３１ｃと、係合片３１ａから上方に突出する係合ガイド部３１ｄと、を有する。
【００５２】
係合片３１ａは、レバー部３１ｃが引っ張りバネ３３によって図１０Ａ（ｂ）及び図１０Ｂ（ｂ）の背面図における右側（すなわち、左側面側）に付勢されていることで、ガイドシャフト１１の凹部１１ａに係合可能となっている。
【００５３】
可動部３１ｂは、上端３１ｂ−１及び下端３１ｂ−２に設けられた左右方向に長い長穴によってピン３４に移動可能に支持されている。
レバー部３１ｃの下端には、図１０Ｂ（ｂ）に示すように、仮止め部３１がガイドシャフト１１に係合した状態を解除する方向（ガイドシャフト１１から離す方向）に可動するように、作業者により押圧される押圧部分３１ｃ−１が形成されている。
【００５４】
係合ガイド部３１ｄは、係合片３１ａの上端から右斜め上方に突出し、係合片３１ａがガイドシャフト１１の凹部１１ａにスムーズに挿入されるようにガイドする。
シャフト受け部３２は、上面部分３２ａと、この上面部分３２ａから直角に下方に折り曲げられた左側面部分３２ｂと、この左側面部分３２ｂから上面部分３２ａに対向するように、略直角で且つ略水平に折り曲げられた底面部分３２ｃと、左側面部分３２ｂの幅狭部分３２ｂ−１の正面側端部及び背面側端部から略直角に右側面側に折り曲げられた１対のシャフト傾き規制部３２ｄと、を含む。
【００５５】
シャフト受け部３２は、シャフト受け部２２，２４と概ね同様であるが、本変形例では、上面部分３２ａと底面部分３２ｃとに上述のピン３４が固定されるほか、左側面部分３２ｂと上述の可動部３１ｂとの間には引っ張りバネ３３が配置される。
【００５６】
図１１は、他の変形例におけるガイドシャフト４１を示す（ａ）左側面図及び（ｂ）正面図である。
ガイドシャフト４１の外周面には、複数の凹部４１ａ−１、４１ａ−２が形成され、例えば図３に示す仮止め部２１の係合片２１ａは、複数の凹部４１ａ−１、４１ａ−２に段階的に係合する。
【００５７】
そのため、１段目の凹部４１ａ−１における１段階目の係合（仮止め）では、ケーブル配線などの作業を行い、２段目の凹部４１ａ−２における２段階目の係合（仮止め）では、固定或いは仮固定などの作業を行うことができる。
【００５８】
以上説明した実施の形態では、ガイドシャフト１１，１２は、フレーム１０（第１の構造物）に設けられ、下方に延び、先端には、雌ネジ部１１ｂ，１２ｂ（被固定部）が形成されている。仮止め部２１，２３は、磁気読取装置２０に設けられ、ガイドシャフト１１，１２に係合し、磁気読取装置２０の仮止めを行う。磁気読取装置２０には、ガイドシャフト１１，１２の雌ネジ部１１ｂ，１２ｂに磁気読取装置２０を固定する固定部（ネジ１５、底面部分２２ｃ等）も設けられている。
【００５９】
そのため、磁気読取装置２０が落下あるいは破損しないように気を配りながら固定作業を行う必要がないほか、狭いスペースであっても仮止め（係合）・固定作業を行うことができる。
【００６０】
よって、本実施の形態によれば、簡素な構成かつ簡単な作業で、フレーム１０（第１の構造物）に対して磁気読取装置２０（第２の構造物）を下方から固定することができる。
なお、本実施の形態では、ガイドシャフト１１，１２，４１の数を２本として説明したが、１本であっても３本以上であってもよい。
【００６１】
また、媒体１００としては、通帳に限らず、各種伝票等の帳票類や冊子等であってもよい。
また、第２の構造物として磁気読取装置２０を例に説明したが、構造物としては人が片手では持ちにくい精密機器であることが望ましいが、それ以外のものであってもよい。
【００６２】
また、第１の構造物及び第２の構造物を備えるのは、媒体処理装置１ではなく他の電子機器であってもよい。
【符号の説明】
【００６３】
１      媒体処理装置
２      搬送路
２ａ，２ｂ  ガイド部
３      ローラ
４      ローラ駆動モータ
５      媒体挿入口
６      印字ヘッド
７      プラテン
８      媒体位置検出部
１０    フレーム
１０ｃ，１０ｄ  位置決め用突き当て面
１１，１２，４１  ガイドシャフト
１１ａ，１２ａ  凹部
１１ｂ，１２ｂ，１３ａ  ネジ部
１１ｃ，１２ｃ  先端
１３，１４  固定用シャフト
１５  ネジ
２０    磁気読取装置
２０ａ，２０ｂ  ピン
２１，２３  仮止め部
２１ａ，２３ａ  係合片
２１ｂ−１  ガイド孔
２１ｂ−２，２１ｂ−３  連結用孔
２１ｃ  右側面部分
２１ｃ−１  周囲
２１ｃ−２  下端
２２，２４  シャフト受け部
２２ａ  上面部分
２２ａ−１  ガイド孔
２２ｂ  左側面部分
２２ｂ−１  幅狭部分
２２ｃ  底面部分
２２ｃ−１  ガイドシャフト固定用孔
２２ｃ−２  開口部
２２ｄ  シャフト傾き規制部
２５，２６  シャフト固定板
２７  横移動磁気ヘッド
２８  縦移動磁気ヘッド
２９  ネジ
３１  仮止め部
３１ａ  係合片
３１ｂ  可動部
３１ｃ  レバー部
３１ｃ−１  押圧部分
３１ｄ  係合ガイド部
３２  シャフト受け部
３２ａ  上面部分
３２ｂ  左側面部分
３２ｂ−１  幅狭部分
３２ｃ  底面部分
３２ｄ  シャフト傾き規制部
３３  引っ張りバネ
３４  ピン
４１  ガイドシャフト
４１ａ−１、４１ａ−２  凹部
１００  媒体
【図１】
0005752614.tif 000002
【図２】
0005752614.tif 000003
【図３】
0005752614.tif 000004
【図４】
0005752614.tif 000005
【図５】
0005752614.tif 000006
【図６Ａ】
0005752614.tif 000007
【図６Ｂ】
0005752614.tif 000008
【図７Ａ】
0005752614.tif 000009
【図７Ｂ】
0005752614.tif 000010
【図７Ｃ】
0005752614.tif 000011
【図７Ｄ】
0005752614.tif 000012
【図７Ｅ】
0005752614.tif 000013
【図８Ａ】
0005752614.tif 000014
【図８Ｂ】
0005752614.tif 000015
【図８Ｃ】
0005752614.tif 000016
【図８Ｄ】
0005752614.tif 000017
【図８Ｅ】
0005752614.tif 000018
【図８Ｆ】
0005752614.tif 000019
【図８Ｇ】
0005752614.tif 000020
【図９】
0005752614.tif 000021
【図１０Ａ】
0005752614.tif 000022
【図１０Ｂ】
0005752614.tif 000023
【図１１】
0005752614.tif 000024